(57)【要約】【課題】  路面上を流れる雨水及び路面中に浸透した雨水等を側溝内に確実に導入案内しながらも、側溝ブロックの強度や剛性への悪影響を抑制しつつ排水構造の簡素化と製造コストの低廉化を促進する。【解決手段】  側溝ブロックＡの上面１ａに沿う上面板部５と側溝ブロックＡの外側面１ｂに沿う側面板部６とがＬ字状又は略Ｌ字状に一体形成され、側面板部６の複数箇所には、路面排水を側溝２内に流入案内する排水導入孔８が貫通形成されているとともに、上面板部５の上面５ａ及び側面板部６の外側面６ａには、それらに接する路面排水を所定の排水導入孔７に導くための排水導入溝８が形成されている。【選択図】        図１
2007162350.tif 000002
【特許請求の範囲】
【請求項１】
側溝ブロックの上面及び外側面に接する路面排水を側溝内に導入案内する排水導入具であって、
前記側溝ブロックの上面に沿う上面板部と側溝ブロックの外側面に沿う側面板部とがＬ字状又は略Ｌ字状に一体形成され、前記側面板部には、路面排水を側溝内に流入案内する排水導入孔が貫通形成されているとともに、前記上面板部の上面及び側面板部の外側面には、それらに接する路面排水を排水導入孔に導くための排水導入溝が形成されている排水導入具。
【請求項２】
前記排水導入孔が側面板部の複数箇所に形成され、そのうちの少なくとも一部が側溝ブロックの成形型枠に対する取付け孔に構成されている請求項１記載の排水導入具。
【請求項３】
前記排水導入孔が上下方向の長さが異なる複数種類の排水導入孔から構成されているとともに、長さの短い少なくとも一部の排水導入孔が、側溝ブロックの成形型枠に対する位置決め兼用の取付け孔に構成されている請求項１記載の排水導入具。
【請求項４】
前記上面板部の内側面と側面板部の内側面との間にわたって、側溝ブロックに埋設されるアンカーが架設されている請求項１〜３のいずれか１項に記載の排水導入具。
【請求項５】
ブロック上面とブロック外側面とに亘る角部に、側溝に連通する状態で上方と外側方に開口する排水路が形成され、この排水路には、ブロック上面及びブロック外側面に接する路面排水を側溝内に導入案内する排水導入具が取付けられている側溝ブロックであって、
前記排水導入具は、ブロック上面に沿って排水路の上側開口を閉塞する上面板部とブロック外側面に沿って排水路の外側開口を閉塞する側面板部とをＬ字状又は略Ｌ字状に一体形成して構成され、前記側面板部の複数箇所には、路面排水を側溝内に導入案内する排水導入孔が形成されているとともに、前記上面板部の上面及び側面板部の外側面には、それらに接する路面排水を少なくとも一部の排水導入孔に導くための排水導入溝が形成されている側溝ブロック。
【発明の詳細な説明】
【技術分野】
【０００１】
本発明は、降雨時などにおいて路面上を流れる雨水及びポーラス状の排水性舗装が施された路面中に浸透した雨水等を側溝ブロックの側溝内に導入するための排水技術で、詳しくは、側溝ブロックの上面及び外側面に接する路面排水を側溝内に導入案内する排水導入具、及び、側溝の側壁に形成された水平方向と上方に開口する排水路に、側壁の上面及び外側面に接する路面排水を側溝内に導入案内するための排水導入具が取付けられている側溝ブロックに関する。
【背景技術】
【０００２】
路面上を流れる雨水及び路面中に浸透した雨水等を側溝ブロックの側溝内に導入するための技術として、従来では、次の二つの方法が提案されている。
（１）特許文献１に示すように、上方に開口するコンクリート製の側溝ブロックの側壁に、これの水平方向と上方に開口する排水路を切欠き形成し、この排水路に、上方に開口する排水導入口と側溝内に開口する排水導出口とを備えた略Ｌ字状に屈曲する箱型又は筒型状の排水導入具を取付けるとともに、前記排水導入具の排水導入口には、小石や道路舗装材等の落下を阻止する格子状部材を取付け、更に、排水導入具のうち、側溝ブロックの側壁外側面に連なる外側板には、これに接する路面排水を排水導入筒内に導くための多数の排水導入孔を形成する。
【０００３】
（２）特許文献２に示すように、上方に開口するコンクリート製の側溝ブロックの側壁に、水平方向と上方に開口する排水路を切欠き形成し、この排水路に、側溝側に向かって開口する断面コの字状の排水導入具を取付け、この排水導入具の内面のブロック長手方向の複数箇所には補強リブを配設するとともに、前記排水導入具の上面板部には、これに接する路面排水を側溝内に導入案内する多数の第１排水導入孔を分散形成し、更に、前記排水導入具の側面板部には、これに接する路面排水を側溝内に導入案内する水平方向に沿ったスリット状の複数の第２排水導入孔を分散形成する。
【０００４】
【特許文献１】特許第２９８７５７５号公報
【特許文献２】特開平１０−１３１２６９号公報（第３−４頁、図１４）
【発明の開示】
【発明が解決しようとする課題】
【０００５】
前者の従来技術では、排水導入具が略Ｌ字状に屈曲する箱型又は筒型状に形成され、しかも、上方に向かって開口する排水導入口への小石や道路舗装材等の落下を阻止すると同時に側溝ブロックの強度や剛性に悪影響を及ぼすことがないように、排水導入具の排水導入口を間隔の細かな格子状部材で補強する必要があり、排水導入構造の複雑化と製造コストの高騰化を招来し易い。
【０００６】
また、後者の従来技術では、断面コの字状の排水導入具の上面板部に、これに接する路面排水を側溝内に導入案内する多数の第１排水導入孔を分散形成するため、側溝ブロックの強度や剛性に悪影響を及ぼすことがないように、この排水導入具の内面のブロック長手方向の複数箇所には補強リブを配設する必要があり、排水導入構造の複雑化と製造コストの高騰化を招来し易い。
【０００７】
本発明は、上述の実状に鑑みて為されたものであって、その主たる課題は、路面上を流れる雨水及び路面中に浸透した雨水等を側溝内に確実に導入案内しながらも、側溝ブロックの強度や剛性への悪影響を抑制しつつ排水導入構造の簡素化と製造コストの低廉化を促進することのできる排水導入具及び側溝ブロックを提供する点にある。
【課題を解決するための手段】
【０００８】
本発明による第１の特徴構成は、側溝ブロックの上面及び外側面に接する路面排水を側溝内に導入案内する排水導入具であって、
前記側溝ブロックの上面に沿う上面板部と側溝ブロックの外側面に沿う側面板部とがＬ字状又は略Ｌ字状に一体形成され、前記側面板部には、路面排水を側溝内に流入案内する排水導入孔が貫通形成されているとともに、前記上面板部の上面及び側面板部の外側面には、それらに接する路面排水を排水導入孔に導くための排水導入溝が形成されている点にある。
【０００９】
上記特徴構成によれば、前記排水導入具の上面板部に形成された排水導入溝により、側溝ブロックの上面及び排水導入具の上面板部の上面に接する雨水等の路面排水を排水導入具の側面板部に貫通形成された排水導入孔側に流動案内することができるとともに、ポーラス状の排水性舗装が施された路面中に浸透して排水導入具の側面板部の外側面に接する雨水等の路面排水は、側面板部に貫通形成された排水導入孔に直接流入するか、若しくは、側面板部に形成された排水導入溝を通して排水導入孔に流入案内される。
【００１０】
従って、排水導入具の上面板部には排水導入溝が形成されていても、従来のような多数の排水導入孔が貫通形成されていないため、上面板部と側面板部とがＬ字状又は略Ｌ字状に一体形成された簡素な構造を採用しながらも、排水導入機能を維持しつつ排水導入具自体の強度低下を抑制することができる。
それ故に、路面上を流れる雨水及び路面中に浸透した雨水等を側溝内に確実に導入案内しながらも、側溝ブロックの強度や剛性への悪影響を抑制しつつ排水導入構造の簡素化と製造コストの低廉化を促進することができる。
【００１１】
本発明による第２の特徴構成は、前記排水導入孔が側面板部の複数箇所に形成され、そのうちの少なくとも一部が側溝ブロックの成形型枠に対する取付け孔に構成されている点にある。
【００１２】
上記特徴構成によれば、排水導入具の側面板部に貫通形成されている一部の排水導入孔を利用して、側溝ブロックの成形時に、排水導入具を成形型枠の所定位置に固定することができるから、成形型枠に取付けるための取付けブラケットを排水導入具に設ける必要がなく、排水導入構造の簡素化と製造コストの低廉化を促進することができる。
【００１３】
本発明による第３の特徴構成は、前記排水導入孔が上下方向の長さが異なる複数種類の排水導入孔から構成されているとともに、長さの短い少なくとも一部の排水導入孔が、側溝ブロックの成形型枠に対する位置決め兼用の取付け孔に構成されている点にある。
【００１４】
上記特徴構成によれば、排水導入具の側面板部に貫通形成されている上下方向の長さが異なる複数種類の排水導入孔により、ポーラス状の排水性舗装が施された路面中に浸透して排水導入具の側面板部の外側面に接する雨水等の路面排水を効率良く側溝内に流入させることができるとともに、長さの短い少なくとも一部の排水導入孔を利用して、側溝ブロックの成形時に、排水導入具を成形型枠の所定位置に簡単に固定することができるから、成形型枠に取付けるための取付けブラケットを排水導入具に設ける必要がなく、排水構造の簡素化と製造コストの低廉化を促進することができる。
【００１５】
本発明による第４の特徴構成は、前記上面板部の内側面と側面板部の内側面との間にわたって、側溝ブロックに埋設されるアンカーが架設されている点にある。
【００１６】
上記特徴構成によれば、前記上面板部の内側面と側面板部の内側面との間に架設されたアンカーにより、ブロック長手方向でＬ字状又は略Ｌ字状に一体形成され排水導入具の強度及び剛性を向上すると同時に、排水導入具を側溝ブロックの所定位置に強固に取付けることができる。
【００１７】
本発明による第５の特徴構成は、ブロック上面とブロック外側面とに亘る角部に、側溝に連通する状態で上方と外側方に開口する排水路が形成され、この排水路には、ブロック上面及びブロック外側面に接する路面排水を側溝内に導入案内する排水導入具が取付けられている側溝ブロックであって、
前記排水導入具は、ブロック上面に沿って排水路の上側開口を閉塞する上面板部とブロック外側面に沿って排水路の外側開口を閉塞する側面板部とをＬ字状又は略Ｌ字状に一体形成して構成され、前記側面板部の複数箇所には、路面排水を側溝内に導入案内する排水導入孔が形成されているとともに、前記上面板部の上面及び側面板部の外側面には、それらに接する路面排水を少なくとも一部の排水導入孔に導くための排水導入溝が形成されている点にある。
【００１８】
上記特徴構成によれば、前記排水路の上側開口を閉塞する排水導入具の上面板部に形成された排水導入溝により、側溝ブロックの上面及び排水導入具の上面板部の上面に接する雨水等の路面排水を排水導入具の側面板部に貫通形成された排水導入孔側に流動案内することができるとともに、ポーラス状の排水性舗装が施された路面中に浸透して排水導入具の側面板部の外側面に接する雨水等の路面排水は、側面板部に貫通形成された複数の排水導入孔に直接流入するか、若しくは、側面板部に形成された排水導入溝を通して複数の排水導入孔に流入案内される。
【００１９】
従って、排水導入具の上面板部には排水導入溝が形成されていても、従来のような多数の排水導入孔が貫通形成されていないため、上面板部と側面板部とがＬ字状又は略Ｌ字状に一体形成された簡素な構造を採用しながらも、排水導入機能を維持しつつ排水導入具自体の強度低下を抑制することができる。
それ故に、路面上を流れる雨水及び路面中に浸透した雨水等を側溝内に確実に導入案内しながらも、側溝ブロックの強度や剛性に悪影響を及ぼすことなく排水導入構造の簡素化と製造コストの低廉化を促進することができる。
【発明を実施するための最良の形態】
【００２０】
〔第１実施形態〕
図１〜図８は、上方に開口する横断面形状が略Ｕ字状のコンクリート製の側溝ブロックＡを示し、左右の側壁１の内周面の上側部には、側溝２の上方を閉塞するコンクリート製蓋Ｂを受止める蓋受け段部３が形成されているとともに、前記両側壁１のうち、排水性舗装が施された車道部Ｃ側に配設される一方の側壁１の上部で、ブロック長手方向に間隔をおいた二箇所には、側溝２に連通する状態で上方と外側方とに開口し、かつ、側溝２側ほど低くなる傾斜姿勢の底面４ａを備えた凹溝状の排水路４が形成され、各排水路４には、ブロック上面となる側壁１の上面１ａ及びブロック外側面となる側壁１の外側面１ｂに接する路面排水を側溝２内に導入案内する金属製の排水導入具Ｄが取付けられている。
【００２１】
前記排水導入具Ｄは、図３〜図７に示すように、一方の側壁１の上面１ａに沿って面一状態で排水路４の上側開口４ｂを閉塞する上面板部５と、側壁１の外側面１ｂに沿って面一状態で排水路４の外側開口４ｃを閉塞する側面板部６とがブロック長手方向視でＬ字状又は略Ｌ字状に折り曲げ加工により一体形成され、前記側面板部６のブロック長手方向及び上下方向の複数箇所には、路面排水を側溝２内に導入案内する複数の排水導入孔７が貫通形成されているとともに、前記上面板部５の上面５ａ及び側面板部６の外側面６ａには、それらに接する路面排水を少なくとも一部の排水導入孔７に導くための排水導入溝８が切削加工等により形成されている。
【００２２】
前記排水導入孔７は、図４〜図６に示すように、上下方向の長さが異なる二種類の排水導入孔、つまり、上下方向に細長い長円形の複数（当該実施形態では７つ）の第１排水導入孔７ａと円形の複数（当該実施形態では３つ）の第２排水導入孔７ｂとの二種類から構成され、そのうち、前記第１排水導入孔７ａは、上下方向に交互に位置齟齬させた千鳥状に配置されているとともに、前記第２排水導入孔７ｂは、下方側に配置される４つの第１排水導入孔７ａの下端位置と同じ位置に下端揃えした状態で、下方側の第１排水導入孔７ａの隣接間に水平方向に沿って一直線状に配置されている。
【００２３】
また、前記側溝ブロックＡの輪郭形状に対応する成形面を備えた成形型枠Ｅ内にコンクリートを打設して側溝ブロックＡを製作する際、図７の仮想線で示すように、前記第２排水導入孔７ｂのうち、排水ブロック長手方向の両側に位置する第２排水導入孔７ｂが、側溝ブロックＡの成形型枠Ｅ内に組み付けられる排水路４形成用金具Ｆの所定位置に締結手段９で取付け可能な位置決め兼用の取付け孔に構成されている。
【００２４】
前記締結手段９は、排水路形成用金具Ｆに形成された雌ネジ部９ａと、排水導入具Ｄの側面板部６の外側面６Ａ側から該側面板部６の第２排水導入孔７ｂを通して排水路形成用金具Ｆの雌ネジ部９ａに螺合固定されるボルト９ｂから構成されている。
【００２５】
前記排水導入溝８は、図５に示すように、上面板部５の上面５ａのうち、各第１排水導入孔７ａ及び排水ブロック長手方向の両側に位置する各第２排水導入孔７ｂの中心位置を通る状態で排水ブロック長手方向に対して直交する直線上の部位に形成された複数本（当該実施形態では９本）の一直線状の第１排水導入溝８ａと、これと各第１排水導入孔７ａ及び各第２排水導入孔７ｂとの相対向するもの同士を連通する状態で側面板部６の外側面６ａに形成された複数本（当該実施形態では９本）の一直線状の第２排水導入溝８ｂから構成されている。
【００２６】
前記排水導入具Ｄを構成する上面板部５の内側面と側面板部６の内側面との間に亘る部位で、かつ、側壁１の上面１ａ及び外側面１ｂに接触するブロック長手方向両側の部位には、側溝ブロックＡの成形時にコンクリート内に埋設される金属棒製のアンカー１０が溶接等の固定手段で架設されている。
【００２７】
前記排水性舗装が施された車道部Ｃの一例としては、図８に示すように、路盤Ｃ１上に不透水舗装層Ｃ２を基層として設け、この不透水舗装層Ｃ２上に多孔質な排水性アスファルト混合物を用いた排水性舗装層Ｃ３を設けてあり、この排水性舗装層Ｃ３に排水導入具Ｄの側面板部６が接触するように構成されている。
【００２８】
そして、前記側溝ブロックＡの側壁１の排水路４に取付けられた排水導入具Ｄの構成部材うち、排水路４の上側開口４ｂを閉塞する排水導入具Ｄの上面板部５に形成された複数本の第１排水導入溝８ａにより、側溝ブロックＡの側壁１の上面１ａ及び排水導入具Ｄの上面板部５の上面５ａに接する雨水等の路面排水を排水導入具Ｄの側面板部６に貫通形成された排水導入孔７側に流動案内することができるとともに、車道部Ｃの排水性舗装層Ｃ３中に浸透して排水導入具Ｄの側面板部６の外側面６ａに接する雨水等の路面排水は、側面板部６に貫通形成された複数の第１排水導入孔７ａ及び複数の第２排水導入孔７ｂに直接流入するか、若しくは、第１排水導入溝８ａに連通する状態で側面板部６に形成された複数本の第２排水導入溝８ｂを通して第１排水導入孔７ａ及び第２排水導入孔７ｂに流入案内される。
【００２９】
〔第２実施形態〕
図９、図１０は、中央に開口部１１を備えた天井壁１２と左右の側壁１３とをもって構成される門型側溝ブロックＢに本発明を適用した別実施例を示し、ブロック上面となる天井壁１２の上面１２ａとブロック外側面となる側壁１３の外側面１３ａとで形成される角部のうち、排水性舗装が施された車道部側に配設される一方の角部で、開口部１１のブロック長手方向両側部に相当する部位には、側溝２に連通する状態で上方と外側方に開口し、かつ、側溝２側ほど低くなる傾斜姿勢の底面４ａを備えた排水路４が貫通形成され、各排水路４には、天井壁１２の上面１２ａ及び側壁１３の外側面１３ａに接する路面排水を側溝２内に導入案内する金属製の排水導入具Ｄが取付けられている。
【００３０】
前記排水導入具Ｄは、第１実施形態と同様に、天井壁１２の上面１２ａに沿って面一状態で排水路４の上側開口４ｂを閉塞する上面板部５と側壁１３の外側面１３ａに沿って面一状態で排水路４の外側開口４ｃを閉塞する側面板部６とがブロック長手方向視でＬ字状又は略Ｌ字状に折り曲げ加工により一体形成され、前記側面板部６のブロック長手方向及び上下方向の複数箇所には、路面排水を側溝２内に導入案内する複数の排水導入孔７が貫通形成されているとともに、前記上面板部５の上面５ａ及び側面板部６の外側面６ａには、それらに接する路面排水を少なくとも一部の排水導入孔７に導くための排水導入溝８が切削加工等により形成されている。
【００３１】
当該実施形態では、前記側壁１の上部二箇所に、側溝２に連通する状態で上方と外側方とに開口する凹溝状の排水路４を形成したが、この排水路４を側壁１の上部の三箇所以上に形成してもよく、また、前記排水路４のブロック長手方向での開口幅が広い場合には側壁１の上部の一箇所にだけ形成してもよい。
尚、その他の構成は、第１実施形態で説明した構成と同一であるから、同一の構成箇所には、第１実施形態と同一の番号を付記してそれの説明は省略する。
【００３２】
〔第３実施形態〕
図１１、図１２は、天井壁１４と左右の側壁１５及び底壁１６とをもって構成される暗渠型（箱型）側溝ブロックＡに本発明を適用した別実施例を示し、ブロック上面となる天井壁１４の上面１４ａとブロック外側面となる側壁１５の外側面１５ａとで形成される角部のうち、排水性舗装が施された車道部Ｃ側に配設される一方の角部で、ブロック長手方向に間隔をおいた二箇所には、側溝２に連通する状態で上方と外側方とに開口し、かつ、側溝２側ほど低くなる傾斜姿勢の底面４ａを備えた排水路４が貫通形成され、各排水路４には、天井壁１４の上面１４ａ及び側壁１５の外側面１５ａに接する路面排水を側溝２内に導入案内する金属製の排水導入具Ｄが取付けられている。
【００３３】
前記排水導入具Ｄは、第１実施形態と同様に、天井壁１４の上面１４ａに沿って面一状態で排水路４の上側開口４ｂを閉塞する上面板部５と側壁１５の外側面１５ａに沿って面一状態で排水路４の外側開口４ｃを閉塞する側面板部６とがブロック長手方向視でＬ字状又は略Ｌ字状に折り曲げ加工により一体形成され、前記側面板部６のブロック長手方向及び上下方向の複数箇所には、路面排水を側溝２内に導入案内する複数の排水導入孔７が貫通形成されているとともに、前記上面板部５の上面５ａ及び側面板部６の外側面６ａには、それらに接する路面排水を少なくとも一部の排水導入孔７に導くための排水導入溝８が切削加工等により形成されている。
尚、その他の構成は、第１実施形態で説明した構成と同一であるから、同一の構成箇所には、第１実施形態と同一の番号を付記してそれの説明は省略する。
【００３４】
〔第４実施形態〕
上述の第１実施形態では、前記排水導入具Ｄの上面板部５を平板状に構成したが、図１３に示すように、前記上面板部５の遊端辺５ｂを、側溝ブロックＡの側壁１の内側面と面一になる状態でＬ字状に折り曲げ形成してもよい。
【００３５】
前記上面板部５の遊端辺５ｂの外側面には、排水導入具Ｄの上面板部５の上面５ａに接する雨水等の路面排水の一部を側溝ブロックＡの排水路４内に直接的に流動案内する第３排水導入溝８ｃが、第１排水導入溝８ａに連通する状態で形成されている。
そのため、当該実施形態では、前記排水導入溝８が、上面板部５の上面５ａ及び側面板部６の外側面６ａに接する路面排水を排水導入孔７に導くと同時に、上面板部５の上面５ａに接する路面排水を排水路４内に直接的に導くように構成されている。
尚、その他の構成は、第１実施形態で説明した構成と同一であるから、同一の構成箇所には、第１実施形態と同一の番号を付記してそれの説明は省略する。
【００３６】
〔その他の実施形態〕
（１）上述の実施形態では、前記排水導入具Ｄを構成する上面板部５の上面５ａ及び側面板部６の外側面６ａに形成した排水導入溝８により、上面板部５の上面５ａ及び側面板部６の外側面６ａに接する路面排水を一部の特定された排水導入孔７に導くように構成したが、全ての排水導入孔７に導くように構成してもよい。
【００３７】
（２）上述の実施形態では、前記排水導入溝８を、排水ブロック長手方向に対する直行方向で一直線状に連通形成される上面板部５側の第１排水導入溝８ａと側面板部６側の第２排水導入溝８ｂとから構成したが、この排水導入溝８としては、上面板部５の上面５ａ及び側面板部６の外側面６ａに接する路面排水を少なくとも一部の特定された排水導入孔７に導くことのできるものであれば、如何なる形状に構成してもよい。
【００３８】
（３）上述の実施形態では、前記排水導入具Ｄの側面板部６の複数箇所に、路面排水を側溝２内に流入案内する排水導入孔７を形成したが、側面板部６の一箇所に大きな一つ排水導入孔７を形成してもよい。
要するに、前記排水導入孔７の数、形状、大きさ、形成位置は排水処理能力と排水導入具Ｄの強度を考慮した範囲内で任意に設定することができる。
【図面の簡単な説明】
【００３９】
【図１】本発明の第１実施形態を示す側溝ブロックの一側方からの一部分解斜視図
【図２】側溝ブロックの他側方からの一部分解斜視図
【図３】側溝ブロックの要部の拡大斜視図
【図４】排水導入具の斜視図
【図５】排水導入具の正面図
【図６】排水導入具の背面図
【図７】コンクリート打設時の要部の断面図
【図８】施工時の断面図
【図９】本発明の第２実施形態を示す側溝ブロックの斜視図
【図１０】要部の拡大断面図
【図１１】本発明の第３実施形態を示す側溝ブロックの斜視図
【図１２】要部の拡大断面図
【図１３】本発明の第４実施形態を示す側溝ブロックの要部の斜視図
【符号の説明】
【００４０】
Ａ        側溝ブロック
Ｄ        排水導入具
Ｅ        成形型枠
１        側壁
１ａ      上面（ブロック上面）
１ｂ      外側面（ブロック外側面）
２        側溝
４        排水路
５        上面板部
５ａ      上面
６        側面板部
６ａ      外側面
７        排水導入孔
８        排水導入溝
１０      アンカー
１２ａ    ブロック上面
１３ａ    ブロック外側面
１４ａ    ブロック上面
１５ａ    ブロック外側面
【図１】
2007162350.tif 000003
【図２】
2007162350.tif 000004
【図３】
2007162350.tif 000005
【図４】
2007162350.tif 000006
【図５】
2007162350.tif 000007
【図６】
2007162350.tif 000008
【図７】
2007162350.tif 000009
【図８】
2007162350.tif 000010
【図９】
2007162350.tif 000011
【図１０】
2007162350.tif 000012
【図１１】
2007162350.tif 000013
【図１２】
2007162350.tif 000014
【図１３】
2007162350.tif 000015